【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
流体噴射器を特徴付けるためのコンピュータにより実施される方法であって、
複数の電気波形を表すデータ集合を受信するステップであって、それぞれの波形は前記流体噴射器のアクチュエータに提供される電気励起の選択された大きさに対応し、前記複数の電気波形は前記流体噴射器の電流波形であり、前記データ集合は前記電流波形を表す前記流体噴射器の電流測定値の第１の集合である、ステップと；
前記データ集合に基づいて吸引軌跡を識別するステップであって、前記吸引軌跡は前記流体噴射器の前記電流測定値の第２の集合である、ステップと；
前記データ集合に基づいて検出しきい値レベルを特定するステップと；
前記検出しきい値レベル及び前記データ集合に基づいて、前記複数の電気波形から選択された第１の電気波形を表す前記データ集合の第１の部分集合を識別するステップと；
前記データ集合に基づいて代表的な開き値を識別するステップであって、前記代表的な開き値は前記流体噴射器の第１の電流測定値である、ステップと；
前記代表的な開き値及び前記データ集合に基づいて代表的な閉じ値を識別するステップと；
前記データ集合及び前記第１の部分集合に基づいてアンカ値を識別するステップであって、前記アンカ値は前記流体噴射器の第２の電流測定値である、ステップと；
前記データ集合、前記吸引軌跡、前記第１の部分集合、及び前記代表的な開き値に基づいて、前記複数の電気波形から選択された第２の電気波形を表す前記データ集合の第２の部分集合を識別するステップと；
前記第２の部分集合に基づいて電気的最大値を識別するステップであって、前記電気的最大値は前記流体噴射器の第３の電流測定値である、ステップと；
前記データ集合、前記アンカ値、及び前記電気的最大値に基づいて開き軌跡を識別するステップであって、前記開き軌跡は前記流体噴射器の前記電流測定値の第３の集合である、ステップと；
前記データ集合に基づいて保持値を識別するステップと；
前記吸引軌跡、前記開き軌跡、前記保持値、前記アンカ値、及び前記代表的な閉じ値を備える前記流体噴射器に関連付けられた特性を提供するステップと；
前記流体噴射器に関連付けられた前記代表的な開き値に基づくソレノイド駆動波形を用いて前記流体噴射器のソレノイドを駆動するステップと；を備える、
コンピュータにより実施される方法。
【請求項２】
前記吸引軌跡を識別するステップは、
前記データ集合の１つ以上の第３の部分集合を選択するステップであって、前記選択された部分集合のそれぞれが前記複数の波形の連続するペアを表し、それぞれの選択されたペアが大きさにおいて連続する２つの電気波形を表す、ステップと；
前記選択された第３の部分集合のそれぞれに対する、
前記波形のペア間の差に基づいて差分波形を特定するステップと；
前記差分波形がゼロクロス点を含むことを特定するステップと；
前記選択されたペアの前記第２の波形の時間的な面で局所的な最大値を識別し、データの第４の部分集合へ追加するステップと；
前記第４の部分集合を前記流体噴射器に関連付けられた前記吸引軌跡として提供するステップと；を更に備える、
請求項１に記載の方法。
【請求項３】
最初の前記時間的な面で局所的な最大値は、前記流体噴射器の非通電状態に対して移動し始める前記流体噴射器のソレノイドアーマチャの影響によるものである、
請求項２に記載の方法。
【請求項４】
前記データ集合の第２の部分集合を識別するステップは、
前記吸引軌跡の最後の値を識別するステップと；
前記最後の値に対応する前記データ集合の部分集合を識別するステップと；
前記識別された部分集合を前記第２の部分集合として提供するステップと；を更に備える、
請求項２又は請求項３に記載の方法。
【請求項５】
前記アンカ値を識別するステップは、
前記データ集合の１つ以上の第３の部分集合を選択するステップであって、前記選択された部分集合のそれぞれは前記複数の波形の連続するペアを表し、それぞれの選択されたペアは２つの大きさにおいて連続する電気波形を表す、ステップと；
前記選択された第３の部分集合のそれぞれに対する、
前記波形のペア間の差に基づいて差分波形を特定するステップと；
前記差分波形がゼロクロス点を含む第１の差分波形であることを特定するステップと；
前記ゼロクロス点を、前記流体噴射器に関連付けられた前記アンカ値として提供するステップと；を更に備える、
請求項１乃至請求項４のいずれか１項に記載の方法。
【請求項６】
前記開き軌跡を識別するステップは、
前記データ集合の１つ以上の第３の部分集合を選択するステップであって、前記選択された部分集合のそれぞれは前記複数の波形の連続するペアを表し、それぞれの選択されたペアは２つの大きさにおいて連続する前記流体噴射器の電気波形を表す、ステップと；
前記選択された第３の部分集合のそれぞれに対する、
前記波形のペア間の差に基づいて差分波形を特定するステップと；
前記特定された差分波形を、差分波形のデータの集合に追加するステップと；
前記差分波形のデータの集合内の前記アンカ点を識別するステップと；
前記差分波形のデータの集合内の前記電気的最大値を識別するステップと；
前記差分波形のデータの集合内の前記アンカ値と前記電気的最大値との間の線の数式表現を特定するステップと；
前記数式表現と交差する前記差分波形のデータの集合内の値の集合を識別するステップと；
前記識別された値の集合を前記流体噴射器に関連付けられた前記開き軌跡として提供するステップと；を備える、
請求項１乃至請求項５のいずれか１項に記載の方法。
【請求項７】
検出しきい値レベルを特定するステップは、前記複数の電気波形のうちの１つ以上から公称ノイズレベルを推定するステップを更に備える、
請求項１乃至請求項６のいずれか１項に記載の方法。
【請求項８】
前記保持値を識別するステップは、
前記吸引軌跡によって記述された値を含み、１つ以上の安定化基準を満たす前記流体噴射器の第１の安定した波形を識別するステップと；
前記第１の安定した波形に基づいて電気的最小値を特定するステップと；
前記電気的最小値を前記流体噴射器に関連付けられた前記保持値として提供するステップと；を更に備える、
請求項１乃至請求項７のいずれか１項に記載の方法。
【請求項９】
流体噴射器の噴射器を特徴付けるためのシステムであって、
データ処理装置と；
コンピュータ装置によって実行可能な命令を格納するコンピュータメモリ記憶デバイスであって、前記命令の実行時に、前記コンピュータ装置に、
複数の電気波形を表すデータ集合を受信するステップであって、それぞれの波形は前記流体噴射器のアクチュエータに提供される電気励起の選択された大きさに対応し、前記複数の電気波形は前記流体噴射器の電流波形であり、前記データ集合は前記電流波形を表す前記流体噴射器の電流測定値の第１の集合である、ステップと；
前記データ集合に基づいて吸引軌跡を識別するステップであって、前記吸引軌跡は前記流体噴射器の前記電流測定値の第２の集合である、ステップと；
前記データ集合に基づいて検出しきい値レベルを特定するステップと；
前記検出しきい値レベル及び前記データ集合に基づいて前記複数の電気波形から選択された第１の電気波形を表す前記データ集合の第１の部分集合を識別するステップと；
前記データ集合に基づいて代表的な開き値を識別するステップであって、前記代表的な開き値は前記流体噴射器の第１の電流測定値である、ステップと；
前記代表的な開き値及び前記データ集合に基づいて代表的な閉じ値を識別するステップと；
前記データ集合及び前記第１の部分集合に基づいてアンカ値を識別するステップであって、前記アンカ値は前記流体噴射器の第２の電流測定値である、ステップと；
前記データ集合、前記吸引軌跡、前記第１の部分集合、及び前記代表的な開き値に基づいて、前記複数の電気波形から選択された第２の電気波形を表す前記データ集合の第２の部分集合を識別するステップと；
前記第２の部分集合に基づいて電気的最大値を識別するステップであって、前記電気的最大値は前記流体噴射器の第３の電流測定値である、ステップと；
前記データ集合、前記アンカ値、及び前記電気的最大値に基づいて開き軌跡を識別するステップであって、前記開き軌跡は前記流体噴射器の前記電流測定値の第３の集合である、ステップと；
前記データ集合に基づいて保持値を識別するステップと；
前記吸引軌跡、前記開き軌跡、前記保持値、前記アンカ値、及び前記代表的な閉じ値を備える前記流体噴射器に関連付けられた特性を提供するステップと；
前記流体噴射器に関連付けられた前記代表的な開き値に基づくソレノイド駆動波形を用いて前記流体噴射器のソレノイドを駆動するステップと；を含む操作を実行させる、前記コンピュータメモリ記憶デバイスと；を備える、
システム。
【請求項１０】
前記吸引軌跡を識別するステップは、
前記データ集合の１つ以上の第３の部分集合を選択するステップであって、前記選択されたそれぞれの部分集合は前記複数の波形の連続するペアを表し、それぞれの選択されたペアは大きさにおいて連続する２つの電気波形を表す、ステップと；
前記選択された第３の部分集合のそれぞれに対する、
前記波形のペア間の差に基づいて差分波形を特定するステップと；
前記差分波形がゼロクロス点を含むことを特定するステップと；
前記選択されたペアの前記第２の波形の時間的な面で局所的な最大値を識別し、データの第４の部分集合へ追加するステップと；
前記第４の部分集合を前記流体噴射器に関連付けられた前記吸引軌跡として提供するステップと；を更に備える、
請求項９に記載のシステム。
【請求項１１】
最初の前記時間的な面で局所的な最大値は、前記流体噴射器の非通電状態に対して移動し始める前記流体噴射器のソレノイドアーマチャの影響によるものである、
請求項１０に記載のシステム。
【請求項１２】
前記データ集合の第２の部分集合を識別するステップは、
前記吸引軌跡の最後の値を識別するステップと；
前記最後の値に対応する前記データ集合の部分集合を識別するステップと；
前記識別された部分集合を前記第２の部分集合として提供するステップと；を更に備える、
請求項１０又は請求項１１に記載のシステム。
【請求項１３】
前記アンカ値を識別するステップは、
前記データ集合の１つ以上の第３の部分集合を選択するステップであって、前記選択されたそれぞれの部分集合は前記複数の波形の連続するペアを表し、それぞれの選択されたペアは大きさにおいて連続する２つの電気波形を表す、ステップと；
前記選択された第３の部分集合のそれぞれに対する、
前記波形のペア間の差に基づいて差分波形を特定するステップと；
前記差分波形がゼロクロス点を含む第１の差分波形であると特定するステップと；
前記ゼロクロス点を前記流体噴射器に関連付けられた前記アンカ値として提供するステップと；を更に備える、
請求項９乃至請求項１２のいずれか１項に記載のシステム。
【請求項１４】
前記開き軌跡を識別するステップは、
前記データ集合の１つ以上の第３の部分集合を選択するステップであって、前記選択されたそれぞれの部分集合は前記複数の波形の連続するペアを表し、それぞれの選択されたペアは前記流体噴射器の大きさにおいて連続する２つの電気波形を表す、ステップと；
選択された第３の部分集合のそれぞれに対する、
前記波形のペア間の差に基づいて差分波形を特定するステップと；
前記特定された差分波形を、差分波形のデータ集合へ追加するステップと；
前記差分波形のデータ集合内の前記アンカ点を識別するステップと；
前記差分波形のデータ集合内の前記電気的最大値を識別するステップと；
前記差分波形のデータ集合内の前記アンカ値と前記電気的最大値との間の線の数式表現を特定するステップと；
前記数式表現と交差する前記差分波形のデータの集合内の値の集合を識別するステップと；
前記識別された値の集合を前記流体噴射器に関連付けられた前記開き軌跡として提供するステップと；を備える、
請求項９乃至請求項１３のいずれか１項に記載のシステム。
【請求項１５】
検出しきい値レベルを特定するステップは、前記複数の電気波形のうちの１つ以上から公称ノイズレベルを推定するステップを更に備える、
請求項９乃至請求項１４のいずれか１項に記載のシステム。
【請求項１６】
前記保持値を識別するステップは、
前記吸引軌跡によって記載された値を含み１つ以上の安定化基準を満たす前記流体噴射器の第１の安定した波形を識別するステップと；
前記第１の安定した波形に基づいて電気的最小値を特定するステップと；
前記電気的最小値を前記流体噴射器に関連付けられた前記保持値として提供するステップと；を更に備える、
請求項９乃至請求項１５のいずれか１項に記載のシステム。
【手続補正２】
【補正対象書類名】明細書
【補正対象項目名】０１２６
【補正方法】変更
【補正の内容】
【０１２６】
上記ではいくつかの実施について詳細に説明したが、他の変更も可能である。例えば、図に示されるロジックフローは、望ましい結果を得るために、示される特定の順序や順次の順序を必要としない。さらに、説明されたフローから他のステップが追加されたり、ステップが削除されたりすることもあり、説明されたシステムに他の構成要素が追加又は削除されることもありうる。故に、他の実施も以下の特許請求の範囲内に含まれる。
以下、本発明の実施の態様の例を列挙する。
［第１の局面］
流体噴射器を特徴付けるためのコンピュータにより実施される方法であって：
複数の電気波形を表すデータ集合を受信するステップであって、それぞれの波形は流体噴射器のアクチュエータに提供される電気励起の選択された大きさに対応する、ステップと；
前記データ集合に基づいて吸引軌跡を識別するステップと；
前記データ集合に基づいて検出しきい値レベルを特定するステップと；
前記検出しきい値レベル及び前記データ集合に基づいて、前記複数の電気波形から選択された第１の電気波形を表す前記データ集合の第１の部分集合を識別するステップと；
前記データ集合に基づいて代表的な開き値を識別するステップと；
前記代表的な開き値及び前記データ集合に基づいて代表的な閉じ値を識別するステップと；
前記データ集合及び前記第１の部分集合に基づいてアンカ値を識別するステップと；
前記データ集合、前記吸引軌跡、前記第１の部分集合、及び前記代表的な開き値に基づいて、前記複数の電気波形から選択された第２の電気波形を表す前記データ集合の第２の部分集合を識別するステップと；
前記第２の部分集合に基づいて電気的最大値を識別するステップと；
前記データ集合、前記アンカ値、及び前記電気的最大値に基づいて開き軌跡を識別するステップと；
前記データ集合に基づいて保持値を識別するステップと；
前記吸引軌跡、前記開き軌跡、前記保持値、前記アンカ値、及び前記代表的な閉じ値を備える前記流体噴射器に関連付けられた特性を提供するステップと；を備える、
コンピュータにより実施される方法。
［第２の局面］
前記複数の電気波形は前記流体噴射器の電流波形であり、前記データ集合は前記電流波形を表す流体噴射器の電流測定値の第１の集合であり、前記吸引軌跡は流体噴射器の電流測定値の第２の集合であり、前記代表的な開き値は流体噴射器の第１の電流測定値であり、前記アンカ値は流体噴射器の第２の電流測定値であり、前記電気的最大値は流体噴射器の第３の電流測定値であり、前記開き軌跡は流体噴射器の電流測定値の第３の集合である、
第１の局面に記載の方法。
［第３の局面］
吸引軌跡を識別するステップは：
前記データ集合の１つ以上の第３の部分集合を選択するステップであって、前記選択された部分集合のそれぞれが前記複数の波形の連続するペアを表し、それぞれの選択されたペアが大きさにおいて連続する２つの電気波形を表す、ステップと；
前記選択された第３の部分集合のそれぞれに対する：
前記波形のペア間の差に基づいて差分波形を特定するステップと；
前記差分波形がゼロクロス点を含むことを特定するステップと；
前記選択されたペアの前記第２の波形の時間的な面で局所的な最大値を識別し、データの第４の部分集合へ追加するステップと；
前記第４の部分集合を前記流体噴射器に関連付けられた前記吸引軌跡として提供するステップと；を更に備える、
第１又は２の局面に記載の方法。
［第４の局面］
最初の前記時間的な面で局所的な最大値は、前記流体噴射器の非通電状態に対して移動し始める前記流体噴射器のソレノイドアーマチャの影響によるものである、
第３の局面に記載の方法。
［第５の局面］
前記データ集合の第２の部分集合を識別するステップは：
前記吸引軌跡の前記最後の値を識別するステップと；
前記最後の値に対応する前記データ集合の部分集合を識別するステップと；
前記識別された部分集合を前記第２の部分集合として提供するステップと；を更に備える、
第３又は４の局面に記載の方法。
［第６の局面］
前記アンカ値を識別するステップは：
前記データ集合の１つ以上の第３の部分集合を選択するステップであって、前記選択された部分集合のそれぞれは前記複数の波形の連続するペアを表し、それぞれの選択されたペアは２つの大きさにおいて連続する電気波形を表す、ステップと；
前記選択された第３の部分集合のそれぞれに対する：
前記波形のペア間の差に基づいて差分波形を特定するステップと；
前記差分波形がゼロクロス点を含む前記第１の差分波形であることを特定するステップと；
前記ゼロクロス点を、前記流体噴射器に関連付けられた前記アンカ値として提供するステップと；を更に備える、
第１乃至５の局面のいずれかに記載の方法。
［第７の局面］
前記開き軌跡を識別するステップは：
前記データ集合の１つ以上の第３の部分集合を選択するステップであって、前記選択された部分集合のそれぞれは前記複数の波形の連続するペアを表し、それぞれの選択されたペアは２つの大きさにおいて連続する前記流体噴射器の電気波形を表す、ステップと；
前記選択された第３の部分集合のそれぞれに対する：
前記波形のペア間の差に基づいて差分波形を特定するステップと；
前記特定された差分波形を、差分波形のデータの集合に追加するステップと；
前記差分波形のデータの集合内の前記アンカ点を識別するステップと；
前記差分波形のデータの集合内の前記電気的最大値を識別するステップと；
前記差分波形のデータの集合内の前記アンカ値と前記電気的最大値との間の線の数式表現を特定するステップと；
前記数式表現と交差する前記差分値の集合内の値の集合を識別するステップと；
前記識別された値の集合を前記流体噴射器に関連付けられた前記開き軌跡として提供するステップと；を備える、
第１乃至６の局面のいずれかに記載の方法。
［第８の局面］
検出しきい値レベルを特定するステップは、前記複数の電気波形のうちの１つ以上から公称ノイズレベルを推定するステップを更に備える、
第１乃至７の局面のいずれかに記載の方法。
［第９の局面］
前記流体噴射器に関連付けられた前記代表的な開き値に基づくソレノイド駆動波形を用いて前記流体噴射器のソレノイドを駆動するステップを更に備える、
第１乃至８の局面のいずれかに記載の方法。
［第１０の局面］
前記保持値を識別するステップは：
前記吸引軌跡によって記述された値を含み、１つ以上の安定化基準を満たす前記流体噴射器の第１の安定した波形を識別するステップと；
前記第１の安定した波形に基づいて電気的最小値を特定するステップと；
前記電気的最小値を前記流体噴射器に関連付けられた前記保持値として提供するステップと；を更に備える、
第１乃至９の局面のいずれかに記載の方法。
［第１１の局面］
流体噴射器の噴射器を特徴付けるためのシステムであって：
データ処理装置と；
コンピュータ装置によって実行可能な命令を格納するコンピュータメモリ記憶デバイスと；を備え、
その実行時に、前記コンピュータ装置に：
複数の電気波形を表すデータ集合を受信するステップであって、それぞれの波形は流体噴射器のアクチュエータに提供される電気励起の選択された大きさに対応する、ステップと；
前記データ集合に基づいて吸引軌跡を識別するステップと；
前記データ集合に基づいて検出しきい値レベルを特定するステップと；
前記検出しきい値レベル及び前記データ集合に基づいて前記複数の電気波形から選択された第１の電気波形を表す前記データ集合の第１の部分集合を識別するステップと；
前記データ集合に基づいて代表的な開き値を識別するステップと；
前記代表的な開き値及び前記データ集合に基づいて代表的な閉じ値を識別するステップと；
前記データ集合及び前記第１の部分集合に基づいてアンカ値を識別するステップと；
前記データ集合、前記吸引軌跡、前記第１の部分集合、及び前記代表的な開き値に基づいて、前記複数の電気波形から選択された第２の電気波形を表す前記データ集合の第２の部分集合を識別するステップと；
前記第２の部分集合に基づいて電気的最大値を識別するステップと；
前記データ集合、前記アンカ値、及び前記電気的最大値に基づいて開き軌跡を識別するステップと；
前記データ集合に基づいて保持値を識別するステップと；
前記吸引軌跡、前記開き軌跡、前記保持値、前記アンカ値、及び前記代表的な閉じ値を備える前記流体噴射器に関連付けられた特性を提供するステップと；を備える操作を実行させる、
システム。
［第１２の局面］
前記複数の電気波形は前記流体噴射器の電流波形であり、前記データ集合は前記電流波形を表す流体噴射器の電流測定値の第１の集合であり、前記吸引軌跡は流体噴射器の電流測定値の第２の集合であり、前記代表的な開き値は流体噴射器の第１の電流測定値であり、前記アンカ値は流体噴射器の第２の電流測定値であり、前記電気的最大値は流体噴射器の第３の電流測定値であり、前記開き軌跡は流体噴射器の電流測定値の第３の集合である、
第１１の局面に記載のシステム。
［第１３の局面］
吸引軌跡を識別するステップは：
前記データ集合の１つ以上の第３の部分集合を選択するステップであって、前記選択されたそれぞれの部分集合は前記複数の波形の連続するペアを表し、それぞれの選択されたペアは大きさにおいて連続する２つの電気波形を表す、ステップと；
前記選択された第３の部分集合のそれぞれに対する：
前記波形のペア間の差に基づいて差分波形を特定するステップと；
前記差分波形がゼロクロス点を含むことを特定するステップと；
前記選択されたペアの前記第２の波形の時間的な面で局所的な最大値を識別し、データの第４の部分集合へ追加するステップと；
前記第４の部分集合を前記流体噴射器に関連付けられた前記吸引軌跡として提供するステップと；を更に備える、
第１１又は１２の局面に記載のシステム。
［第１４の局面］
最初の前記時間的な面で局所的な最大値は、前記流体噴射器の非通電状態に対して移動し始める前記流体噴射器のソレノイドアーマチャの影響によるものである、
第１３の局面に記載のシステム。
［第１５の局面］
前記データ集合の第２の部分集合を識別するステップは：
前記吸引軌跡の前記最後の値を識別するステップと；
前記最後の値に対応する前記データ集合の部分集合を識別するステップと；
前記識別された部分集合を前記第２の部分集合として提供するステップと；を更に備える、
第１３又は１４の局面に記載のシステム。
［第１６の局面］
前記アンカ値を識別するステップは：
前記データ集合の１つ以上の第３の部分集合を選択するステップであって、前記選択されたそれぞれの部分集合は前記複数の波形の連続するペアを表し、それぞれの選択されたペアは大きさにおいて連続する２つの電気波形を表す、ステップと；
前記選択された第３の部分集合のそれぞれに対する：
前記波形のペア間の差に基づいて差分波形を特定するステップと；
前記差分波形がゼロクロス点を含む前記第１の差分波形であると特定するステップと；
前記ゼロクロス点を前記流体噴射器に関連付けられた前記アンカ値として提供するステップと；を更に備える、
第１１乃至１５の局面のいずれかに記載のシステム。
［第１７の局面］
前記開き軌跡を識別するステップは：
前記データ集合の１つ以上の第３の部分集合を選択するステップであって、前記選択されたそれぞれの部分集合は前記複数の波形の連続するペアを表し、それぞれの選択されたペアは前記流体噴射器の大きさにおいて連続する２つの電気波形を表す、ステップと；
選択された第３の部分集合のそれぞれに対する：
前記波形のペア間の差に基づいて差分波形を特定するステップと；
前記特定された差分波形を、差分波形のデータ集合へ追加するステップと；
前記差分波形のデータ集合内の前記アンカ点を識別するステップと；
前記差分波形のデータ集合内の前記電気的最大値を識別するステップと；
前記差分波形のデータ集合内の前記アンカ値と前記電気的最大値との間の線の数式表現を特定するステップと；
前記数式表現と交差する前記差分値の集合内の値の集合を識別するステップと；
前記識別された値の集合を前記流体噴射器に関連付けられた前記開き軌跡として提供するステップと；を備える、
第１１乃至１６の局面のいずれかに記載のシステム。
［第１８の局面］
検出しきい値レベルを特定するステップは、前記複数の電気波形のうちの１つ以上から公称ノイズレベルを推定するステップを更に備える、
第１１乃至１７の局面のいずれかに記載のシステム。
［第１９の局面］
前記流体噴射器に関連付けられた前記代表的な開き値に基づくソレノイド駆動波形を用いて前記流体噴射器のソレノイドを駆動するステップを更に備える、
第１１乃至１８の局面のいずれかに記載のシステム。
［第２０の局面］
前記保持値を識別するステップは：
前記吸引軌跡によって記載された値を含み１つ以上の安定化基準を満たす前記流体噴射器の第１の安定した波形を識別するステップと；
前記第１の安定した波形に基づいて電気的最小値を特定するステップと；
前記電気的最小値を前記流体噴射器に関連付けられた前記保持値として提供するステップと；を更に備える、
第１１乃至１９の局面のいずれかに記載のシステム。